(57)【要約】【課題】電池パックに記憶されている電池使用状態や電池使用履歴の情報により電池パックの異常を診断することのできる電池パック診断装置を提供する。【解決手段】着脱式電池パック１を充電する充電器２と、充電器２に通信回線４により接続されたパーソナルコンピュータ３とにより構成され、パーソナルコンピュータ３の表示画面に、着脱式電池パック１の電池管理部に記憶されている電池使用状態、電池使用履歴を示す情報を表示し、および／または電池使用状態、電池使用履歴を示す情報を解析することによって得られる着脱式電池パック１の診断結果を表示する。【選択図】図１
2007285972.tif 000002
【特許請求の範囲】
【請求項１】
複数個の単電池を接続して構成された電池パックを充電する充電器と、充電器に接続されたコンピュータとにより構成され、前記コンピュータの表示画面に、前記電池パックに記憶されている電池使用状態、電池使用履歴を示す情報および／または前記電池使用状態、電池使用履歴を示す情報を解析することによって得られる前記電池パックの診断結果を表示することを特徴とする電池パック診断装置。
【請求項２】
前記コンピュータの表示画面に、前記電池パックの電池残容量を表示することを特徴とする請求項１に記載の電池パック診断装置。
【請求項３】
前記コンピュータの表示画面に、充電器自体の故障を表示できることを特徴とする請求項１または２に記載の電池パック診断装置。
【請求項４】
前記電池パックは、電動自転車の駆動電源に用いられることを特徴とする請求項１〜３のいずれかに記載の電池パック診断装置。
【発明の詳細な説明】
【技術分野】
【０００１】
本発明は、充電可能な複数個の単電池（セル）を接続して構成された着脱式電池パックの異常を診断する電池パック診断装置に関するものである。
【背景技術】
【０００２】
電動自転車や電動車椅子等の電動車両には駆動電源として充電可能なニッケルカドミウム、ニッケル水素、リチウムイオン等による単電池（セル）を複数個接続して構成された着脱式電池パックが用いられている。この着脱式電池パックは、内部に電池の使用状態を管理する電池管理装置を備えており、電池管理装置は、電池残容量を測定し、計算することで、電池パック自体に電池残容量の表示をＬＥＤ（発光ダイオード）の点灯数で表示し、また、簡単なＬＥＤ表示で電池パックの異常を知らせるのが一般的である。また、電池管理装置は、電池の使用状態や使用履歴の情報を記憶している（特許文献１参照）。
【特許文献１】特開２００１−１２８３０１号公報
【発明の開示】
【発明が解決しようとする課題】
【０００３】
ところで、電池パックの寿命が突然短くなり、販売店およびパワーユーザ側において、寿命が短くなった原因を解析するような場合には、電池パックに記憶されているリフレッシュ回数、充電回数等の電池の使用状態や使用履歴の情報が必要となる。しかし、上述したように電池パック自体に簡単なＬＥＤ表示で電池パックの異常を知らせることができても、全ての電池使用状態や電池使用履歴の情報をＬＥＤの点灯・点滅だけで表示することは困難である。また、表示できたとしても、それを販売店およびパワーユーザ側で解読することは容易ではない。したがって、販売店およびパワーユーザ側では、電池パックに記憶されている電池使用状態や電池使用履歴の情報が容易に得られないという問題があった。
【０００４】
本発明は、このような問題点に鑑みてなされたものであり、本発明の目的は、販売店およびパワーユーザ側において、電池パックに記憶されている電池使用状態や電池使用履歴の情報が容易に得られ、また電池パックの異常を診断することのできる電池パック診断装置を提供することにある。
【課題を解決するための手段】
【０００５】
上記目的を達成するため、本発明の電池パック診断装置は、複数個の単電池を接続して構成された電池パックを充電する充電器と、充電器に接続されたコンピュータとにより構成され、前記コンピュータの表示画面に、前記電池パックに記憶されている電池使用状態、電池使用履歴を示す情報および／または前記電池使用状態、電池使用履歴を示す情報を解析することによって得られる前記電池パックの診断結果を表示することを特徴とする。
【０００６】
前記コンピュータの表示画面には、前記電池パックの電池残容量を表示することが好ましく、また、前記コンピュータの表示画面には、充電器自体の故障を表示できることが好ましい。また、前記電池パックは、電動自転車の駆動電源に用いられることが好ましい。
【発明の効果】
【０００７】
本発明の電池パック診断装置は、パーソナルコンピュータの表示画面に、電池使用状態や電池使用履歴を示す情報および／または電池パックの診断結果を表示するようにしたので、販売店およびパワーユーザ側において容易に電池使用状態や電池使用履歴の情報を得ることができ、また専用のソフトウエアによる電池パックの診断結果をも得ることができるので、電池パックの故障等の的確な判断を行うことができる。
【発明を実施するための最良の形態】
【０００８】
本発明の実施の形態について図面を参照して説明する。図１は、本発明の電池パック診断装置の斜視図である。この電池パック診断装置は、スタンド式の充電器２と市販のパーソナルコンピュータ３により構成され、スタンド式の充電器２とパーソナルコンピュータ３は、通信回線４により接続されている。スタンド式の充電器２には、着脱式電池パック１が差し込まれ、着脱式電池パック１は、充電器２に接続されることにより充電が行われるようになっている。
【０００９】
なお、着脱式電池パック１は、電池残容量および電池パックの異常を表示するための１個以上の点灯・点滅表示装置（ＬＥＤ）からなる表示部を備える電池パックでも良い。
【００１０】
図２は、電池パック診断装置の一例を示す構成図である。着脱式電池パック１には、複数個の単電池（セル）を接続して構成された１つの電池モジュール１２が内蔵されると共に、電池残容量を計算し、単電池（セル）の使用状態を管理する電池管理部１１が設けられている。また、電池管理部１１には、電池使用状態、電池使用履歴の情報が記録されている。
【００１１】
充電器２には、商用電源からの交流を受け、電池モジュール１２に定電流・定電圧の充電電力を供給する電源回路２２と、電池管理部１１から着脱式電池パック１が接続されたことを示す信号を受信することによって着脱式電池パック１の充電制御を行うと共に、電池管理部１１から電池残容量、電池使用状態、電池使用履歴の情報を知らせる信号を受信する充電器制御部２１と、通信回線（例えば、ＵＳＢケーブル、ＩＥＥＥ  １３９４ケーブル）４を介して充電器制御部２１をパーソナルコンピュータ３に接続するための通信インターフェイス（例えば、ＵＳＢポート、ＩＥＥＥ  １３９４ポート）２３が設けられている。
【００１２】
パーソナルコンピュータ３には、通信回線４を介して充電器２の通信インターフェイス２３と接続するための通信インターフェイス（例えば、ＵＳＢポート、ＩＥＥＥ  １３９４ポート）３１が設けられており、パーソナルコンピュータ３は、キーボード操作により、パーソナルコンピュータ３の表示画面に、着脱式電池パック１の電池管理部１１から送信される電池残容量、電池使用状態、電池使用履歴の情報を知らせる信号を充電器制御部２１を介して受信して、着脱式電池パック１の電池残容量、電池使用状態、電池使用履歴を示す情報を表示し、および／または着脱式電池パック１の診断結果を表示する。
【００１３】
電池使用状態や電池使用履歴を示す情報の例としては、リフレッシュ回数、放電時電池温度、充電回数、充電総時間等が挙げられる。
【００１４】
電池パックの診断結果は、パーソナルコンピュータ３に専用のソフトウエアをインストールして実行し、専用のソフトウエアが、リフレッシュ回数、放電時電池温度、充電回数、充電総時間等の電池使用状態、電池使用履歴を示す情報を解析することによって得られる。電池パックの診断結果には、例えば、充電不足、メモリ効果等が挙げられる。
【００１５】
このように、電池パック診断装置により、パーソナルコンピュータの表示画面に、電池使用状態や電池使用履歴を示す情報および／または電池パックの診断結果を表示するようにしたので、販売店およびパワーユーザ側において容易に電池使用状態や電池使用履歴の情報を得ることができ、また専用のソフトウエアによる電池パックの診断結果をも得ることができるので、電池パックの故障等の的確な判断を行うことができる。
【００１６】
例えば、電池パックの寿命が突然短くなったような場合においても、販売店およびパワーユーザ側において、リフレッシュ回数、放電時電池温度、充電回数、充電総時間等の電池使用状態や電池使用履歴を示す情報が得られ、また、専用のソフトウエアによる電池パックの診断結果が得られるので、これらの情報を用いて寿命が短くなった原因を的確に判断することができる。
【００１７】
また、パーソナルコンピュータの表示画面に、電池の残容量も表示可能となっているので、電池状態を簡単に確認できる。
【００１８】
なお、本発明の電池パック診断装置は、複数個の単電池（セル）を接続して構成された電池パックの診断に用いることができるものであり、したがって、電動自転車や電動車椅子等の電動車両に用いられる電池パックの診断に限らず、電動工具等に用いられる電池パックの診断にも適用できるものである。
【００１９】
また、本発明は、パーソナルコンピュータの表示画面に充電器自体の故障を表示できるようにして、販売店およびパワーユーザ側において充電中に簡単に充電器故障を把握することができるようにしても良い。
【図面の簡単な説明】
【００２０】
【図１】本発明の電池パック診断装置の斜視図である。
【図２】電池パック診断装置の一例を示す構成図である。
【符号の説明】
【００２１】
１  着脱式電池パック
２  充電器
３  パーソナルコンピュータ
４  通信回線
１１  電池管理部
１２  電池モジュール
２１  充電器制御部
２２  電源回路
２３，３１  通信インターフェイス
【図１】
2007285972.tif 000003
【図２】
2007285972.tif 000004